(57)【要約】【課題】電気二重層キャパシタを用いて省電力モードにおける更なる省電力化を図ることのできる電子機器を提供すること。【解決手段】省電力モード時に，スーパーキャパシタ回路１２の充電電圧が予め設定された第一の所定電圧以上である場合は電力供給経路Ｗ１，Ｗ３を遮断して電力供給経路Ｗ２を確立させ，第二の所定電圧未満である場合は電力供給経路Ｗ２を遮断して電力供給経路Ｗ１，Ｗ３を確立させる。これにより，省電力モード時におけるサブマイコン１等への電力供給にスーパーキャパシタ回路１２の充電電圧を利用することができる。また，電力供給経路Ｗ２の確立／遮断を切り替える際には，電力供給経路Ｗ２，Ｗ３の両方を確立させた後，電力供給経路Ｗ２を確立させる場合は電力供給経路Ｗ３を遮断させ，電力供給経路Ｗ２を遮断させる場合は電力供給経路Ｗ２を遮断させる。【選択図】図５
2011103634.tif 000002
【特許請求の範囲】
【請求項１】
所定の電源からの電力供給を通常動作モードよりも少ない一又は複数の電子部品に限定することにより消費電力量が該通常動作モードより省減される省電力モードを有する電子機器であって，
前記所定の電源に接続されることにより該所定の電源からの電力供給によって充電され，前記電子部品に接続されることにより該電子部品に向けて放電する電気二重層キャパシタと，
前記電気二重層キャパシタに充電された充電電圧を検出する充電電圧検出手段と，
前記所定の電源から前記電気二重層キャパシタに続く第一の電力供給経路，前記電気二重層キャパシタから前記電子部品に続く第二の電力供給経路，及び前記所定の電源から前記電子部品に続く第三の電力供給経路のそれぞれの確立／遮断を切り替える電力供給経路切替手段とを備えてなり，
前記電力供給経路切替手段が，
前記省電力モード時に，前記充電電圧検出手段により検出された前記充電電圧が予め設定された第一の所定電圧以上である場合は，前記第一の電力供給経路及び前記第三の電力供給経路を遮断して前記第二の電力供給経路を確立させ，前記充電電圧が予め設定された第二の所定電圧未満である場合は，前記第二の電力供給経路を遮断して前記第一の電力供給経路及び前記第三の電力供給経路を確立させるものであって，
前記第二の電力供給経路の確立／遮断を切り替える際には，前記第二の電力供給経路及び前記第三の電力供給経路の両方を確立させた後，前記第二の電力供給経路を確立させる場合は前記第三の電力供給経路を遮断させ，前記第二の電力供給経路を遮断させる場合は前記第二の電力供給経路を遮断させてなることを特徴とする電子機器。
【請求項２】
前記電力供給経路切替手段が，前記第一の電力供給経路，前記第二の電力供給経路，及び前記第三の電力供給経路のそれぞれに接続された三つの切替スイッチを制御することにより前記第一の電力供給経路，前記第二の電力供給経路，及び前記第三の電力供給経路のそれぞれの確立／遮断を切り替えるものである請求項１に記載の電子機器。
【請求項３】
前記第二の電力供給経路においてアノード端子が前記電気二重層キャパシタ側に，カソード端子が前記電子部品側にそれぞれ接続されたダイオード素子を更に備えてなる請求項１又は２のいずれかに記載の電子機器。
【請求項４】
前記電気二重層キャパシタが，複数の電気二重層キャパシタを直列に接続した電気二重層キャパシタ群を少なくとも二以上並列に接続したものである請求項１〜３のいずれかに記載の電子機器。
【請求項５】
前記電子機器がテレビジョン受像機である請求項１〜４のいずれかに記載の電子機器。
【発明の詳細な説明】
【技術分野】
【０００１】
本発明は，通常動作モードよりも消費電力量が省減された省電力モードを有する液晶テレビジョン受像機などの電子機器に関し，特に，その省電力モードにおける更なる省電力化を図る技術に関するものである。
【背景技術】
【０００２】
従来から，電子機器に設けられるＣＰＵの動作のバックアップ電源として，スーパーキャパシタやウルトラキャパシタ等と称される電気二重層キャパシタが用いられている（例えば特許文献１参照）。具体的には，電源供給が遮断されたときに，予め充電されていた電気二重層キャパシタからＣＰＵに電力供給を行うことにより，該ＣＰＵを継続して動作させることができる。
ところで，一般に電子機器には，該電子機器本来の機能を発揮し得る通常動作モードの他，その通常の動作モードよりも消費電力量が省減された省電力モード（スタンバイモード等とも称される）を有するものがある。例えば，液晶テレビジョン受像機は，テレビ視聴をすることができる通常動作モードと，液晶表示パネルやバックライト，チューナ（アンテナ）などへの電源供給を遮断し，リモコン信号の受信機能や時計機能などの必要最小限の処理を実行するサブマイコンのみを駆動させる省電力モードとを少なくとも有している。この通常動作モード及び省電力モードは，ユーザによるリモコン等の電源スイッチの操作に応じて切り替えられる。
そして，電子機器の省電力化が重視される近年では，前記省電力モードにおける更なる省電力化が強く望まれる。
【先行技術文献】
【特許文献】
【０００３】
【特許文献１】特開平１１−２８２５８３号公報
【発明の概要】
【発明が解決しようとする課題】
【０００４】
しかしながら，従来は，商用交流電源からの電力供給が遮断した場合など，電源装置からＣＰＵなどに電力供給を行うことができない状況が生じた場合に，予め電気二重層キャパシタに充電していた電荷を利用してＣＰＵなどを駆動させているに過ぎず，省電力モードにおける更なる省電力化を図ることは考えられていなかった。具体的に，前記特許文献１に開示された構成では，電源供給が遮断された後，電気二重層キャパシタからＣＰＵへの電力供給が行われるが，該電気二重層キャパシタに充電された電荷の放電が終了すると，その後はＣＰＵへの電力供給を行うことができなくなる。そのため，省電力モードにおいて電気二重層キャパシタを利用することにより，該省電力モードにおける更なる省電力化を図ることはできなかった。
従って，本発明は上記事情に鑑みてなされたものであり，その目的とするところは，電気二重層キャパシタを用いて省電力モードにおける更なる省電力化を図ることのできる電子機器を提供することにある。
【課題を解決するための手段】
【０００５】
上記目的を達成するために本発明は，所定の電源からの電力供給を通常動作モードよりも少ない一又は複数の電子部品に限定することにより消費電力量が該通常動作モードより省減される省電力モードを有する電子機器であって，前記所定の電源に接続されることにより該所定の電源からの電力供給によって充電され，前記電子部品に接続されることにより該電子部品に向けて放電する電気二重層キャパシタと，前記電気二重層キャパシタに充電された充電電圧を検出する充電電圧検出手段と，前記所定の電源から前記電気二重層キャパシタに続く第一の電力供給経路，前記電気二重層キャパシタから前記電子部品に続く第二の電力供給経路，及び前記所定の電源から前記電子部品に続く第三の電力供給経路のそれぞれの確立／遮断を切り替える電力供給経路切替手段とを備えて構成される。そして，本発明に係る前記電子機器は，前記電力供給経路切替手段が，前記省電力モード時に，前記充電電圧検出手段により検出された前記充電電圧が予め設定された第一の所定電圧以上である場合は，前記第一の電力供給経路及び前記第三の電力供給経路を遮断して前記第二の電力供給経路を確立させ，前記充電電圧が予め設定された第二の所定電圧未満である場合は，前記第二の電力供給経路を遮断して前記第一の電力供給経路及び前記第三の電力供給経路を確立させるものであって，前記第二の電力供給経路の確立／遮断を切り替える際には，前記第二の電力供給経路及び前記第三の電力供給経路の両方を確立させた後，前記第二の電力供給経路を確立させる場合は前記第三の電力供給経路を遮断させ，前記第二の電力供給経路を遮断させる場合は前記第二の電力供給経路を遮断させてなることを特徴とする電子機器として構成される。具体的に，前記電子機器はテレビジョン受像機であることが考えられる。
本発明によれば，前記省電力モード時に，前記電気二重層キャパシタに充電された電力を利用して前記電子機器を駆動させることができるため，従来に比べて前記省電力モード時における消費電力を更に省減することができる。また，前記第二の電力供給経路の確立／遮断を切り替える際には，前記第二の電力供給経路及び前記第三の電力供給経路の両方を確立させた後，前記第二の電力供給経路又は前記第三の電力供給経路を遮断させているため，前記電子部品への電力供給を絶やすことなくその切り替えを行うことができる。
【０００６】
具体的に，前記電力供給経路切替手段は，前記第一の電力供給経路，前記第二の電力供給経路，及び前記第三の電力供給経路のそれぞれに接続された三つの切替スイッチを制御することにより前記第一の電力供給経路，前記第二の電力供給経路，及び前記第三の電力供給経路のそれぞれの確立／遮断を切り替えるものであることが考えられる。
さらに，前記第二の電力供給経路においてアノード端子が前記電気二重層キャパシタ側に，カソード端子が前記電子部品側にそれぞれ接続されたダイオード素子を更に備えてなることが望ましい。これにより，前記第二の電力供給経路及び前記第三の電力供給経路の両方が確立された場合に，該第二の電力供給経路における電流の逆流を前記ダイオード素子で防止することができる。
ところで，前記電気二重層キャパシタは，単一の複数の電気二重層キャパシタであってもよいが，電気二重層キャパシタを直列に接続した電気二重層キャパシタ群を少なくとも二以上並列に接続したものであることも考えられる。これにより，安価な低電圧の電気二重層キャパシタを複数用いることにより必要な電圧及び容量を得ることが可能である。
【発明の効果】
【０００７】
本発明によれば，前記省電力モード時に，前記電気二重層キャパシタに充電された電力を利用して前記電子機器を駆動させることができるため，従来に比べて前記省電力モード時における消費電力を更に省減することができる。また，前記第二の電力供給経路の確立／遮断を切り替える際には，前記第二の電力供給経路及び前記第三の電力供給経路の両方を確立させた後，前記第二の電力供給経路又は前記第三の電力供給経路を遮断させているため，前記電子部品への電力供給を絶やすことなくその切り替えを行うことができる。
【図面の簡単な説明】
【０００８】
【図１】本発明の実施の形態に係る液晶テレビジョン受像機Ｘの概略構成を示すブロック図。
【図２】本発明の実施の形態に係る液晶テレビジョン受像機Ｘに設けられたスーパーキャパシタ回路１２の回路構成の一例を示す回路図。
【図３】本発明の実施の形態に係る液晶テレビジョン受像機Ｘで実行される動作モード制御処理の手順の一例を説明するためのフローチャート。
【図４】本発明の実施の形態に係る液晶テレビジョン受像機Ｘで実行される動作モード制御処理の手順の一例を説明するためのフローチャート。
【図５】本発明の実施の形態に係る液晶テレビジョン受像機Ｘで実行される動作モード制御処理の実行結果を説明するための図。
【図６】本発明の実施の形態に係る液晶テレビジョン受像機Ｘの一部を変更した構成例を示す図。
【発明を実施するための形態】
【０００９】
以下添付図面を参照しながら，本発明の実施の形態について説明し，本発明の理解に供する。尚，以下の実施の形態は，本発明を具体化した一例であって，本発明の技術的範囲を限定する性格のものではない。
本実施の形態で説明する液晶テレビジョン受像機Ｘ（以下，「液晶テレビＸ」と略称する）は，本発明に係る電子機器の一例に過ぎず，例えばディスプレイ装置，ＤＶＤレコーダー，ＨＤレコーダー，ＢＬレコーダー，その他の各種家電機器なども本発明に係る電子機器に該当する。
図１に示すように，前記液晶テレビＸは，サブマイコン１，電源スイッチ２，リモコン受光部３，電圧検出回路４，電源装置１１，スーパーキャパシタ回路１２，レギュレータ１３，ショットキーバリアダイオード１４，及び切替スイッチＳ１〜Ｓ３などを備えて概略構成されている。
なお，前記液晶テレビＸは，ここで説明する構成要素の他に，前記電源装置１１から供給される電圧によって駆動されるチューナや液晶パネル，バックライト，スピーカ，メインマイコンなど，一般的な液晶テレビが備える内部機器を備えている。前記液晶テレビＸでは，前記メインマイコンが各種の制御処理を実行して前記内部機器を制御することにより，チューナで受信されたデジタルテレビジョン放送などの映像及び音声が再生される。
【００１０】
前記サブマイコン１は，ＭＰＵやＲＡＭ，ＲＯＭ等の制御機器を有してなり，該ＭＰＵにより所定の制御プログラムに従って，後述の動作モード制御処理（図３，図４のフローチャート参照）を含む各種の処理を実行する。また，前記サブマイコン１は，計時を行う時計機能などを具現するものである。
前記電源スイッチ２は，前記液晶テレビＸの前面パネルなどに設けられ，ユーザが該液晶テレビＸに電源ＯＮ要求や電源ＯＦＦ要求を行うためのものである。
また，前記リモコン受光部３は，ユーザが前記液晶テレビＸの動作に関する操作を行う不図示のリモコン（遠隔操作機）から送信されるリモコン信号を受信するものであって，該リモコンから受信したリモコン信号を前記サブマイコン１に入力する。なお，前記リモコンには，ユーザが前記液晶テレビＸに電源ＯＮ要求や電源ＯＦＦ要求を行うための電源スイッチや，チャンネル切り替えのためのチャンネル選択キー，音量調節のためのボリュームキーなどが設けられている。
そして，前記サブマイコン１は，前記電源スイッチ２や前記リモコン受光部３からの入力信号に応じて前記液晶テレビＸの電源のＯＮ／ＯＦＦを切り替える処理を実行する。以下，本実施の形態では，前記液晶テレビＸの電源ＯＮの状態を通常動作モード，電源ＯＦＦの状態を省電力モードとする。具体的に，前記サブマイコン１は，前記電源装置１１を制御することにより前記通常動作モード及び前記省電力モードを切り替える。なお，本発明に係る省電力モードは，前記液晶テレビＸの電源ＯＦＦの状態に限らず，例えば前記液晶テレビＸの電源ＯＮの状態で一部の機能だけを無効とすることにより省電力化を図る動作モードをも含む概念である。
【００１１】
前記電源装置１１は，商用交流電源１０に接続されることにより，該商用交流電源１０から供給される電力を所定のレベルに変換して出力するものである。なお，前記電源装置１１が所定の電源の一例である。
そして，前記電源装置１１は，前記サブマイコン１から前記通常動作モードで動作する旨の制御指示を受けた場合には，チューナなどの前記内部機器への電力供給を行うと共に，前記スーパーキャパシタ回路１２や前記レギュレータ１３への電力供給を行う。これにより，前記液晶テレビＸでは，前記通常動作モードにおいて，例えばテレビジョン放送などの映像や音声を再生する通常の動作を実行し得る。
また，前記電源装置１１は，前記サブマイコン１から省電力モードで動作する旨の制御指示を受けた場合には，チューナなどの前記内部機器への電力供給は遮断し，前記スーパーキャパシタ回路１２や前記レギュレータ１３への電力供給のみを行う。
前記レギュレータ１３は，前記電源装置１１又は前記スーパーキャパシタ回路１２から３．３Ｖ以上の直流電圧が供給されているときに，前記サブマイコン１，前記電源スイッチ２，前記リモコン受光部３，前記電圧検出回路４など（以下，「待機時駆動部品」と称する）の駆動電圧である３．３Ｖの直流電圧を安定して出力するものである。
即ち，前記液晶テレビＸでは，前記省電力モード時，前記電源装置１１からの電力供給を前記通常動作モードよりも少ない前記待機時駆動部品に限定することにより，消費電力量が該通常動作モードより省減される。
【００１２】
前記スーパーキャパシタ回路１２は，前記電源装置１１に接続されることにより該電源装置１１からの電力供給によって充電され，前記レギュレータ１３を介して前記待機時駆動部品に接続されることにより該待機時駆動部品に向けて放電する電気二重層キャパシタを有している。なお，この電気二重層キャパシタの放電時間をｔ［秒］，容量をＣ［Ｆ］，使用電圧範囲をΔＶ［Ｖ］，放電電流をＩ［Ａ］とすると，その放電時間ｔは，（Ｃ×ΔＶ）／Ｉとなる（但し，自己放電，内部抵抗によるＩＲドロップの影響は無視するものとする）。例えば，１［Ｆ］の電気二重層キャパシタに５［Ｖ］で充電し，１［ｍＡ］で３［Ｖ］まで定電流放電を行った場合には，放電時間ｔは，（１×（５−３）／０．００１）＝２０００［秒］となる。
ここに，前記電気二重層キャパシタは，陽極及び陰極それぞれの表面付近で起きる物理現象である「電気二重層」を利用して電荷を蓄積するものであって，一般にスーパーキャパシタやウルトラキャパシタ等と称されるものである。前記電気二重層キャパシタは，内部抵抗が低く短時間で充放電を行うことができることや，充放電による劣化が少なく寿命が長いことに特徴を有するキャパシタ（コンデンサ）である。
前記電圧検出回路４は，前記電源装置１１からの電力供給により前記スーパーキャパシタ回路１２に充電され，出力可能となっている充電電圧を検出して前記サブマイコン１に通知する充電電圧検出手段の一例である。
【００１３】
ここで，図２（ａ），（ｂ）を用いて，前記スーパーキャパシタ回路１２の一例について説明する。
まず，前記スーパーキャパシタ回路１２は，図２（ａ）に示すように，電圧２．５Ｖ，容量１００Ｆのスーパーキャパシタ４１（電気二重層キャパシタに相当）が二つ直列接続されることにより構成されたスーパーキャパシタ群４０（電気二重層キャパシタ群に相当）を有するものであることが考えられる。これにより，前記スーパーキャパシタ回路１２では，前記電源装置１１から前記スーパーキャパシタ群４０にＤＣ５Ｖの電力供給が行われることによって，電圧５Ｖの充電を行うことが可能である。なお，前記スーパーキャパシタ４１各々には過リプル保護用の抵抗素子４２が並列接続されている。但し，二つの前記スーパーキャパシタ４１を直列接続した場合，その電気容量は減少する。
そこで，前記スーパーキャパシタ回路１２が，図２（ｂ）に示すように，図２（ａ）に示した前記スーパーキャパシタ群４０を少なくとも二以上並列に接続したものであることが考えられる。これにより，前記スーパーキャパシタ回路１２の電気容量を増加させることができる。
なお，ここでは低コスト化を実現するため，充電電圧２．５Ｖの二つのスーパーキャパシタ４１を直列接続することにより充電電圧５Ｖを実現しているが，もちろん充電電圧５Ｖのスーパーキャパシタを用いるものであってもよい。また，前記スーパーキャパシタ回路１２におけるスーパーキャパシタ４１の直列接続数やスーパーキャパシタ群４０の並列接続数は，必要な電圧及び容量に応じて適宜変更すればよい。
【００１４】
また，図１に示すように，前記切替スイッチＳ１，Ｓ２，Ｓ３各々は，前記電源装置１１から前記スーパーキャパシタ回路１２に続く電力供給経路Ｗ１（第一の電力供給経路に相当），前記スーパーキャパシタ回路１２から前記レギュレータ１３を介して前記サブマイコン１などの前記待機時駆動部品に続く電力供給経路Ｗ２（第二の電力供給経路に相当），及び前記電源装置１１から前記レギュレータ１３を介して前記サブマイコン１などの前記待機時駆動部品に続く電力供給経路Ｗ３（第三の電力供給経路に相当）に接続されたものであって，そのＯＮ／ＯＦＦにより前記電力供給経路Ｗ１〜Ｗ３各々の確立／遮断を個別に切り替えるものである。
なお，前記電力供給経路Ｗ２には，該電力供給経路Ｗ２においてアノード端子が前記スーパーキャパシタ回路１２側に，カソード端子が前記サブマイコン１などの前記待機時駆動部品側に接続されたショットキーバリアダイオード１４（ダイオード素子の一例）が接続されている。これにより，後述するように前記電力供給経路Ｗ２，Ｗ３が共に確立した場合，前記電力供給経路Ｗ２上の電流の逆流は前記ショットキーバリアダイオード１４によって防止される。
【００１５】
そして，前記液晶テレビＸにおいては，前記サブマイコン１によって後述の動作モード制御処理（図３，図４のフローチャート参照）が実行されることにより，前記切替スイッチＳ１〜Ｓ３のＯＮ／ＯＦＦが個別に制御される。ここに，前記切替スイッチＳ１〜Ｓ３を制御することによって前記電力供給経路Ｗ１〜Ｗ３のそれぞれの確立／遮断を切り替えるときの前記サブマイコン１が電力供給経路切替手段に相当する。
以下，図３，図４のフローチャートに従って，前記サブマイコン１によって実行される動作モード制御処理の手順の一例について説明する。なお，図中のＳ１０，Ｓ２０，…は処理手順（ステップ）の番号を表している。また，図５は，当該動作モード制御処理の実行結果の一例を示すものであって，以下の動作モード制御処理の説明において適宜参照する。もちろん，ここで説明する動作モード制御処理と同様の処理機能を実現し得るものであれば，その処理手順はここで説明するものに限らない。
【００１６】
（ステップＳ１０〜Ｓ２０）
まず，図３に示すように，ステップＳ１０において，前記サブマイコン１は，前記液晶テレビＸの動作モードが前記通常動作モードから前記省電力モードに切り替えられるか否かを判断する。具体的に，前記サブマイコン１は，前記電源スイッチ２や前記リモコン受光部３からの入力信号に応じて，前記液晶テレビＸを電源ＯＮの状態から電源ＯＦＦの状態に切り替えるか否かを判断する。
ここで，前記通常動作モードから前記省電力モードに切り替えられると判断された場合には（Ｓ１０のＹｅｓ側），処理がステップＳ１１に移行して後述の省電力モード移行処理（図４（ａ）参照）が実行され，処理は前記ステップＳ１０に戻される。
他方，前記通常動作モードから前記省電力モードへの切り替えが行われないと判断された場合には（Ｓ１０のＮｏ側），処理はステップＳ２０に移行する。
【００１７】
ステップＳ２０において，前記サブマイコン１は，前記液晶テレビＸの動作モードが前記省電力モードから前記通常動作モードに切り替えられるか否かを判断する。具体的に，前記サブマイコン１は，前記電源スイッチ２や前記リモコン受光部３からの入力信号に応じて，前記液晶テレビＸを電源ＯＦＦの状態から電源ＯＮの状態に切り替えるか否かを判断する。
ここで，前記省電力モードから前記通常動作モードへの切り替えが行われないと判断された場合には（Ｓ２０のＮｏ側），処理は前記ステップＳ１０に戻される。
一方，前記省電力モードから前記通常動作モードに切り替えられると判断された場合には（Ｓ２０のＹｅｓ側），処理がステップＳ２１に移行して後述の通常動作モード移行処理（図４（ｂ）参照）が実行され，処理は前記ステップＳ１０に戻される。
【００１８】
（ステップＳ１１：省電力モード移行処理）
まず，図４（ａ）を参照しつつ，前記ステップＳ１１の省電力モード移行処理について説明する。なお，当該省電力モード移行処理が実行される場合には，少なくとも前記切替スイッチＳ２がＯＦＦ，前記切替スイッチＳ３がＯＮの状態（図１参照），即ち前記電力供給経路Ｗ２が遮断され，前記電力供給経路Ｗ３が確立された状態である。
前記ステップＳ１１の省電力モード移行処理では，まずステップＳ１１１において，前記サブマイコン１が，前記電圧検出回路４によって検出される前記スーパーキャパシタ回路１２の充電電圧が予め設定された５Ｖ（第一の所定電圧に相当）以上に達しているか否かを判断する。なお，前記ステップＳ１１における判断指標である５Ｖは，前記待機時駆動部品に駆動電圧を供給し得るものとして予め設定されたものであって，その値は適宜設定しておけばよい。
【００１９】
そして，前記ステップＳ１１１において，前記スーパーキャパシタ回路１２の充電電圧が５Ｖ未満であると判断されると（Ｓ１１１のＮｏ側），処理はステップＳ１１８に移行する。
ステップＳ１１８では，前記サブマイコン１は，図５（ａ）に示すように，前記切替スイッチＳ１をＯＮ，前記切替スイッチＳ２をＯＦＦ，前記切替スイッチＳ３をＯＮとすることにより，前記電力供給経路Ｗ２を遮断し，前記電力供給経路Ｗ１，Ｗ３を確立させる。これにより，前記電源装置１１によって前記スーパーキャパシタ回路１２の充電が行われると共に，前記電源装置１１から前記サブマイコン１等の前記待機時駆動部品への電力供給が行われる。この場合には，その後，処理が前記ステップＳ１１１に戻され，前記スーパーキャパシタ回路１２の充電電圧が５Ｖ以上に達していると判断されるまで，該スーパーキャパシタ回路１２の充電が行われる。なお，本実施の形態では，前記切替スイッチＳ１〜Ｓ３の状態を切り替える処理において，該切替スイッチＳ１〜Ｓ３が既にその切り換え後の状態にある場合には，その状態が維持される。
【００２０】
一方，前記ステップＳ１１１において，前記スーパーキャパシタ回路１２の充電電圧が５Ｖ以上に達していると判断されると（Ｓ１１１のＹｅｓ側），処理はステップＳ１１２に移行する。
ステップＳ１１２では，前記サブマイコン１は，図５（ｂ）に示すように，前記切替スイッチＳ１をＯＦＦ，前記切替スイッチＳ２をＯＮ，前記切替スイッチＳ３をＯＮとすることにより，前記電力供給経路Ｗ１を遮断し，前記電力供給経路Ｗ２，Ｗ３を確立させる。これにより，前記電源装置１１による前記スーパーキャパシタ回路１２の充電は停止され，前記電源装置１１及び前記スーパーキャパシタ回路１２から前記サブマイコン１等の前記待機時駆動部品への電力供給が行われる。即ち，前記スーパーキャパシタ回路１２が，前記待機時駆動部品に接続されることにより該待機時駆動部品に向けて放電することとなる。
その後，前記サブマイコン１は，続くステップＳ１１３において，前記ステップＳ１１２の実行後から所定時間（例えば数ｍｓ）の経過を待ち受けており（Ｓ１１３のＮｏ側），該所定時間が経過すると（Ｓ１１３のＹｅｓ側），処理をステップＳ１１４に移行させる。これにより，前記電力供給経路Ｗ２，Ｗ３の両方が確立され，該電力供給経路Ｗ２，Ｗ３のいずれを通じても前記待機時駆動部品への電力供給が可能な状態が確実に形成される。
【００２１】
そして，ステップＳ１１４では，前記サブマイコン１は，図５（ｃ）に示すように，前記切替スイッチＳ１をＯＦＦ，前記切替スイッチＳ２をＯＮ，前記切替スイッチＳ３をＯＦＦとすることにより，前記電力供給経路Ｗ１，Ｗ３を遮断し，前記電力供給経路Ｗ２のみを確立させる。これにより，前記電源装置１１から前記サブマイコン１等の前記待機時駆動部品への電力供給は遮断され，前記スーパーキャパシタ回路１２から前記サブマイコン１等の前記待機時駆動部品への電力供給のみが行われる。このとき，前記スーパーキャパシタ回路１２からの出力電圧は５Ｖ以上であるため，前記レギュレータ１３を介して前記サブマイコン１等の前記待機時駆動部品の駆動電圧である３．３Ｖが供給されることとなる。
このように，前記液晶テレビＸでは，前記省電力モード時に，前記電力供給経路Ｗ２を遮断から確立に切り替える際には，前記電力供給経路Ｗ２及び前記電力供給経路Ｗ３の両方を確立させた後，前記電力供給経路Ｗ３を遮断させているため，前記サブマイコン１等の前記待機時駆動部品への電力供給を絶やすことなくその切り替えを行うことができる。なお，これに対し，例えば図６に示すように，前記切替スイッチＳ２，Ｓ３に代えて，前記電力供給経路Ｗ２，Ｗ３のいずれかを確立させる切替スイッチＳ４を用いた場合には，該電力供給経路Ｗ２，Ｗ３を切り替える際に瞬時的に両方の経路が遮断されてしまうこととなる。
【００２２】
その後，前記サブマイコン１は，続くステップＳ１１５において，前記電圧検出回路４によって検出される前記スーパーキャパシタ回路１２の充電電圧が予め設定された３．３Ｖ（第二の所定温度に相当）未満であるか否かを判断する。なお，前記ステップＳ１１５における判断指標である３．３Ｖは，前記待機時駆動部品に駆動電圧を供給し得る最低限の電圧として予め設定されたものであって，その値は適宜設定しておけばよい。例えば，前記ステップＳ１１１及び前記ステップＳ１１５において判断指標となる電圧（第一の所定温度及び第二の所定温度）が同一であることも考えられる。
ここで，前記充電電圧が３．３Ｖ以上である間は（Ｓ１１５のＮｏ側），処理は前記ステップＳ１１３で待機され，前記スーパーキャパシタ回路１２から前記待機時駆動部品への電力供給が継続して行われることとなる。
【００２３】
他方，前記充電電圧が３．３Ｖ未満であると判断されると（Ｓ１１５のＹｅｓ側），処理はステップＳ１１６に移行する。前記充電電圧が３．３Ｖ未満に達すると，前記レギュレータ１３を介して前記サブマイコン１等の前記待機時駆動部品の駆動電圧である３．３Ｖを供給することができなくなるためである。
そして，ステップＳ１１６において，前記サブマイコン１は，図５（ｂ）に示すように，前記切替スイッチＳ１をＯＦＦ，前記切替スイッチＳ２をＯＮ，前記切替スイッチＳ３をＯＮとすることにより，前記電力供給経路Ｗ１を遮断し，前記電力供給経路Ｗ２，Ｗ３を確立させる。これにより，前記電源装置１１及び前記スーパーキャパシタ回路１２から前記サブマイコン１等の前記待機時駆動部品への電力供給が行われる。
その後，前記サブマイコン１は，続くステップＳ１１７において，前記ステップＳ１１６の実行後から所定時間（例えば数ｍｓ）の経過を待ち受けており（Ｓ１１７のＮｏ側），該所定時間が経過すると（Ｓ１１７のＹｅｓ側），処理を前記ステップＳ１１８に移行させる。これにより，前記電力供給経路Ｗ２，Ｗ３の両方が確立され，該電力供給経路Ｗ２，Ｗ３のいずれを通じても前記待機時駆動部品への電力供給が可能な状態が確実に形成される。
【００２４】
そして，前記ステップＳ１１８では，前述したように，前記サブマイコン１が，図５（ａ）に示すように，前記切替スイッチＳ１をＯＮ，前記切替スイッチＳ２をＯＦＦ，前記切替スイッチＳ３をＯＮとすることにより，前記電力供給経路Ｗ２を遮断し，前記電力供給経路Ｗ１，Ｗ３を確立させる。これにより，前記電源装置１１によって前記スーパーキャパシタ回路１２の充電が行われると共に，前記電源装置１１から前記サブマイコン１等の前記待機時駆動部品への電力供給が行われる。
このように，前記液晶テレビＸでは，前記省電力モード時に，前記電力供給経路Ｗ２を確立から遮断に切り替える際には，前記電力供給経路Ｗ２及び前記電力供給経路Ｗ３の両方を確立させた後，前記電力供給経路Ｗ２を遮断させているため，前記サブマイコン１等の前記待機時駆動部品への電力供給を絶やすことなくその切り替えを行うことができる。
【００２５】
前記ステップＳ１１８の処理後，処理は前記ステップＳ１１１に戻される。これにより，その後，前記スーパーキャパシタ回路１２の充電は，その充電電圧が５Ｖ以上に達するまで継続し（Ｓ１１１のＮｏ側），充電電圧が５Ｖ以上に達すると（Ｓ１１１のＹｅｓ側），前記ステップＳ１１２以降の処理により，前記サブマイコン１等の前記待機時駆動部品への電力供給が，前記電源装置１１から前記スーパーキャパシタ回路１２に切り替えられる。
このように，前記液晶テレビＸでは，前記省電力モードにおいて，前記スーパーキャパシタ回路１２の充電／放電を繰り返すことにより，該スーパーキャパシタ回路１２の充電電圧を利用して前記サブマイコン１等の前記待機時駆動部品を駆動させることができるため，前記電源装置１１から前記待機時駆動部品に常に電力供給を行う場合に比べて，該省電力モード時における消費電力量をさらに省減することができる。
【００２６】
（ステップＳ２１：通常動作モード移行処理）
続いて，図４（ｂ）を参照しつつ，前記ステップＳ２１の通常動作モード移行処理について説明する。なお，当該通常動作モード移行処理が実行される場合には，前記切替スイッチＳ２及び前記切替スイッチＳ３のいずれか一方又は両方がＯＮの状態である。
前記ステップＳ２１の通常動作モード移行処理では，まずステップＳ２１１において，前記サブマイコン１が，前記切替スイッチＳ３の状態がＯＦＦであるか否かを判断する。
ここで，前記切替スイッチＳ３の状態がＯＦＦであると判断された場合（Ｓ２１１のＹｅｓ側），即ち前記切替スイッチＳ２がＯＮである場合には，処理はステップＳ２１２に移行する。
他方，前記切替スイッチＳ３の状態がＯＦＦでないと判断された場合（Ｓ２１１のＮｏ側），即ち前記切替スイッチＳ３がＯＮであり，且つ前記切替スイッチＳ２がＯＮ又はＯＦＦである場合には，処理はステップＳ２１４に移行する。
【００２７】
ステップＳ２１２では，前記サブマイコン１は，前記切替スイッチＳ１をＯＦＦ，前記切替スイッチＳ２をＯＮ，前記切替スイッチＳ３をＯＮとすることにより，前記電力供給経路Ｗ１を遮断し，前記電力供給経路Ｗ２，Ｗ３を共に確立させる。これにより，前記電源装置１１及び前記スーパーキャパシタ回路１２から前記サブマイコン１等の前記待機時駆動部品への電力供給が行われる。
その後，前記サブマイコン１は，続くステップＳ２１３において，前記ステップＳ２１２の実行後から所定時間（例えば数ｍｓ）の経過を待ち受けており（Ｓ２１３のＮｏ側），該所定時間が経過すると（Ｓ２１３のＹｅｓ側），処理をステップＳ２１４に移行させる。これにより，前記電力供給経路Ｗ２，Ｗ３の両方が確立され，該電力供給経路Ｗ２，Ｗ３のいずれを通じても前記待機時駆動部品への電力供給が可能な状態が確実に形成される。
【００２８】
そして，ステップＳ２１４では，前記サブマイコン１は，図５（ｃ）に示すように，前記切替スイッチＳ１をＯＦＦ，前記切替スイッチＳ２をＯＦＦ，前記切替スイッチＳ３をＯＮとすることにより，前記電力供給経路Ｗ１，Ｗ２を遮断し，前記電力供給経路Ｗ３のみを確立させる。これにより，前記スーパーキャパシタ回路１２から前記サブマイコン１等の前記待機時駆動部品への電力供給は遮断され，前記電源装置１１から前記サブマイコン１等の前記待機時駆動部品への電力供給のみが行われる。
このように，前記液晶テレビＸでは，前記省電力モードから前記通常動作モードへの切替に伴って前記電力供給経路Ｗ２を確立から遮断に切り替える際，前記電力供給経路Ｗ３が遮断されている場合には，一度，前記電力供給経路Ｗ２及び前記電力供給経路Ｗ３の両方を確立させた後，前記電力供給経路Ｗ３を遮断させているため，前記サブマイコン１等の前記待機時駆動部品への電力供給を絶やすことなくその動作モードの切り替えを行うことができる。
【００２９】
その後，ステップＳ２１５では，前記サブマイコン１は，前記電圧検出回路４によって検出される前記スーパーキャパシタ回路１２の充電電圧が予め設定された５Ｖ以上であるか否かを判断する。ここで，前記充電電圧が５Ｖ以上であると判断されると（Ｓ２１５のＹｅｓ側），処理はステップＳ２１６に移行する。他方，前記充電電圧が５Ｖ未満であると判断されると（Ｓ２１５のＮｏ側），処理はステップＳ２１７に移行する。
そして，ステップＳ２１６では，前記サブマイコン１は，前記切替スイッチＳ１をＯＦＦにすることにより，前記電源装置１１から前記スーパーキャパシタ回路１２への電力供給を停止させることにより，該スーパーキャパシタ回路１２の充電を停止させる。
他方，ステップＳ２１７では，前記サブマイコン１は，前記切替スイッチＳ１をＯＮにすることにより，前記電源装置１１から前記スーパーキャパシタ回路１２への電力供給を実行させることにより，該スーパーキャパシタ回路１２の充電を実行させる。
その後，処理は前記ステップＳ２１５に戻されることにより，前記通常動作モードから前記省電力モードに切り替えられるまでの間は（図３のＳ１０のＹｅｓ側），前記スーパーキャパシタ回路１２の充電電圧が５Ｖ以上になるように処理される。
【符号の説明】
【００３０】
１：サブマイコン
２：電源スイッチ
３：リモコン受光部
４：電圧検出回路
１０：商用交流電源
１１：電源装置
１２：スーパーキャパシタ回路
１３：レギュレータ
１４：ショットキーバリアダイオード（ダイオード素子の一例）
４０：スーパーキャパシタ群
４１：スーパーキャパシタ（電気二重層キャパシタに相当）
４２：抵抗素子
Ｓ１０，Ｓ２０，…：処理手順（ステップ）番号
Ｘ：液晶テレビジョン受像機（電子機器の一例）
【図１】
2011103634.tif 000003
【図２】
2011103634.tif 000004
【図３】
2011103634.tif 000005
【図４】
2011103634.tif 000006
【図５】
2011103634.tif 000007
【図６】
2011103634.tif 000008